(57)【要約】【課題】プラント内の複数の人間に情報を正確かつ迅速に共有させる。【解決手段】一の実施形態によれば、プラント情報共有システムは、プラント内の作業に関する指示内容を入力するための第１端末と、前記指示内容で指示された作業の作業内容を入力するための第２端末と、前記作業内容で規定された作業の作業結果を入力するための第３端末と、前記第１端末から受信した前記指示内容、前記第２端末から受信した前記作業内容、前記第３端末から受信した前記作業結果をそれぞれ第１、第２、第３格納部に格納するプラント情報共有装置と、表示装置とを備える。さらに、前記第２端末は、前記第３格納部内の前記作業結果から得られた第１の情報を前記第２格納部に格納し、前記第１端末は、前記第２格納部内の前記第１の情報から得られた第２の情報を前記第１格納部に格納し、前記プラント情報共有装置は、前記第１格納部内の前記第２の情報を前記表示装置に表示する。【選択図】図１
2016024597.tif 000002
【特許請求の範囲】
【請求項１】
プラント内の作業に関する指示内容を入力するための第１端末と、
前記指示内容で指示された作業の作業内容を入力するための第２端末と、
前記作業内容で規定された作業の作業結果を入力するための第３端末と、
前記第１端末から受信した前記指示内容を第１格納部に格納し、前記第２端末から受信した前記作業内容を第２格納部に格納し、前記第３端末から受信した前記作業結果を第３格納部に格納するプラント情報共有装置と、
前記作業結果から得られた情報を表示する表示装置とを備え、
前記第２端末は、前記第３格納部内の前記作業結果にアクセスし、前記作業結果から得られた第１の情報を前記第２格納部に格納し、
前記第１端末は、前記第２格納部内の前記第１の情報にアクセスし、前記第１の情報から得られた第２の情報を前記第１格納部に格納し、
前記プラント情報共有装置は、前記第１端末からの操作に応じて、前記第１格納部内の前記第２の情報を前記表示装置に表示する、
プラント情報共有システム。
【請求項２】
前記プラント情報共有装置はさらに、前記第１、第２、および第３端末から前記第１、第２、および第３格納部へのアクセスを制御する制御部を備える、請求項１に記載のプラント情報共有システム。
【請求項３】
前記制御部は、前記第１、第２、および第３格納部内の情報の閲覧および編集を、前記第１、第２、および第３の端末を使用するユーザに付与された閲覧権限および編集権限により制限する、請求項２に記載のプラント情報共有システム。
【請求項４】
前記第１格納部は、前記第１端末を使用する第１ユーザに前記第１格納部の閲覧権限と編集権限とが付与された状態で使用され、
前記第２格納部は、前記第１ユーザに前記第２格納部の閲覧権限が付与され、前記第２端末を使用する第２ユーザに前記第２格納部の閲覧権限と編集権限とが付与された状態で使用され、
前記第３格納部は、前記第２ユーザに前記第３格納部の閲覧権限が付与され、前記第３端末を使用する第３ユーザに前記第３格納部の閲覧権限と編集権限とが付与された状態で使用される、
請求項３に記載のプラント情報共有システム。
【請求項５】
前記プラント情報共有装置は、
前記第１端末に前記指示内容が入力された第１入力時間、
前記第１端末が前記第２端末に前記指示内容の入力を通知した第１通知時間、
前記第２端末に前記作業内容が入力された第２入力時間、
前記第２端末が前記第３端末に前記作業内容の入力を通知した第２通知時間、
前記第３端末に前記作業結果が入力された第３入力時間、
前記第３端末が前記第２端末に前記作業結果の入力を通知した第３通知時間、および
前記第２端末が前記第１端末に前記第１の情報の入力を通知した第４通知時間、
の少なくともいずれかを前記第１、第２、または第３格納部に格納する、請求項１から４のいずれか１項に記載のプラント情報共有システム。
【請求項６】
前記プラント情報共有装置は、
前記第３格納部に前記作業結果が格納されたことを、個々の作業結果が前記第３格納部に格納されるごとに前記第２端末に通知する、または
前記第２格納部に前記第１の情報が格納されたことを、前記第１の情報を構成する個々の作業結果が前記第２格納部に格納されるごとに前記第１端末に通知する、
請求項１から５のいずれか１項に記載のプラント情報共有システム。
【請求項７】
前記第１端末は、複数の作業結果を含む前記第２の情報を１つの作業結果群として集約して前記表示装置に表示させることと、前記複数の作業結果を含む前記第２の情報を前記複数の作業結果に展開して前記表示装置に表示させることが可能である、請求項１から６のいずれか１項に記載のプラント情報共有システム。
【請求項８】
前記第１端末に入力された前記指示内容を前記第２端末に提供する際、前記第１格納部内の前記指示内容が記憶装置に格納され、前記第２端末が前記記憶装置内の前記指示内容にアクセスし、
前記第２端末に入力された前記作業内容を前記第３端末に提供する際、前記第２格納部内の前記作業内容が前記記憶装置に格納され、前記第３端末が前記記憶装置内の前記作業内容にアクセスする、
請求項１から７のいずれか１項に記載のプラント情報共有システム。
【請求項９】
第１端末が、プラント内の作業に関する指示内容の入力を受け付け、
プラント情報共有装置が、前記指示内容を第１格納部に格納し、
第２端末が、前記指示内容で指示された作業の作業内容の入力を受け付け、
前記プラント情報共有装置が、前記作業内容を第２格納部に格納し、
第３端末が、前記作業内容で規定された作業の作業結果の入力を受け付け、
前記プラント情報共有装置が、前記作業結果を第３格納部に格納し、
前記第２端末が、前記第３格納部内の前記作業結果にアクセスし、前記作業結果から得られた第１の情報を第２格納部に格納し、
前記第１端末が、前記第２格納部内の前記第１の情報にアクセスし、前記第１の情報から得られた第２の情報を第１格納部に格納し、
前記プラント情報共有装置が、前記第１端末からの操作に応じて、前記第１格納部内の前記第２の情報を表示装置に表示する、
ことを含むプラント情報共有方法。
【請求項１０】
プラント内の作業に関する指示内容を第１端末から受信し、前記指示内容を第１格納部に格納する第１制御部と、
前記指示内容で指示された作業の作業内容を第２端末から受信し、前記作業内容を第２格納部に格納する第２制御部と、
前記作業内容で規定された作業の作業結果を第３端末から受信し、前記作業結果を第３格納部に格納する第３制御部と、
前記作業結果から得られた情報を表示装置に表示する表示制御部とを備え、
前記第２制御部は、前記第３格納部内の前記作業結果を前記第２端末に提供し、前記作業結果から得られた第１の情報を前記第２格納部に格納し、
前記第１制御部は、前記第２格納部内の前記第１の情報を前記第１端末に提供し、前記第１の情報から得られた第２の情報を前記第１格納部に格納し、
前記表示制御部は、前記第１端末からの操作に応じて、前記第１格納部内の前記第２の情報を前記表示装置に表示する、
プラント情報共有装置。
【発明の詳細な説明】
【技術分野】
【０００１】
本発明の実施形態は、プラント情報共有システム、プラント情報共有方法、およびプラント情報共有装置に関する。
【背景技術】
【０００２】
原子力発電所等の大規模プラントでは、指揮者が、プラント運転の指揮を執り、運転員に指示を与え、プラント全体を統括している。プラントの事故時にも同様に、運転員が、指揮者からの指示に基づいて、現場の確認、機器の確認、必要な処置の実行等の事故対応にあたる。多重故障や周辺地域に影響を与える大事故が発生した場合、または多重故障や大事故の発生の可能性が高い場合には、多数の警報が発生することや、指揮者からの指示や運転員による確認結果や処置結果の情報が膨大な量となることから、プラントの制御室内は混乱した状況となる。
【０００３】
このような状況下では、プラントの状態、指揮者からの指示、運転員による確認結果や処置結果、現場の状況等の情報がすぐには整理されず、プラント内の全員が同じ状況を正確かつ迅速に把握することは困難である。
【先行技術文献】
【特許文献】
【０００４】
【特許文献１】特開２０１２−１０３８８３号公報
【発明の概要】
【発明が解決しようとする課題】
【０００５】
各運転員の表示装置に、自己の作業状況と他人の作業状況とを作業の実行順序に従って表示する技術が知られている。しかしながら、この技術では、運転手順書であらかじめ決められた手順が各運転員の表示装置に表示されるだけである。そのため、この技術では、各運転員が非定型な情報を現場で登録することや、各運転員が非定型な情報を制御室内の他の運転員に共有させることはできない。
【０００６】
また、事故解析時に必要となるパラメータの推移や運転員の実施操作の記録は、既存のプラント監視システムでも実現可能である。しかしながら、既存のプラント監視システムは、指揮者の指示内容、運転員の操作理由や操作結果、現場の状態等を互いに関連付けて管理し、事故対応にあたる運転員に正確かつ迅速に情報を共有させることはできない。
【０００７】
そこで、本発明は、プラント内の複数の人間に情報を正確かつ迅速に共有させることが可能なプラント情報共有システム、プラント情報共有方法、およびプラント情報共有装置を提供することを課題とする。
【課題を解決するための手段】
【０００８】
一の実施形態によれば、プラント情報共有システムは、プラント内の作業に関する指示内容を入力するための第１端末と、前記指示内容で指示された作業の作業内容を入力するための第２端末と、前記作業内容で規定された作業の作業結果を入力するための第３端末と、前記第１端末から受信した前記指示内容を第１格納部に格納し、前記第２端末から受信した前記作業内容を第２格納部に格納し、前記第３端末から受信した前記作業結果を第３格納部に格納するプラント情報共有装置と、前記作業結果から得られた情報を表示する表示装置とを備える。さらに、前記第２端末は、前記第３格納部内の前記作業結果にアクセスし、前記作業結果から得られた第１の情報を前記第２格納部に格納し、前記第１端末は、前記第２格納部内の前記第１の情報にアクセスし、前記第１の情報から得られた第２の情報を前記第１格納部に格納し、前記プラント情報共有装置は、前記第１端末からの操作に応じて、前記第１格納部内の前記第２の情報を前記表示装置に表示する。
【０００９】
別の実施形態によれば、プラント情報共有方法は、第１端末が、プラント内の作業に関する指示内容の入力を受け付け、プラント情報共有装置が、前記指示内容を第１格納部に格納し、第２端末が、前記指示内容で指示された作業の作業内容の入力を受け付け、前記プラント情報共有装置が、前記作業内容を第２格納部に格納し、第３端末が、前記作業内容で規定された作業の作業結果の入力を受け付け、前記プラント情報共有装置が、前記作業結果を第３格納部に格納することを含む。さらに、前記方法は、前記第２端末が、前記第３格納部内の前記作業結果にアクセスし、前記作業結果から得られた第１の情報を第２格納部に格納し、前記第１端末が、前記第２格納部内の前記第１の情報にアクセスし、前記第１の情報から得られた第２の情報を第１格納部に格納し、前記プラント情報共有装置が、前記第１端末からの操作に応じて、前記第１格納部内の前記第２の情報を表示装置に表示することを含む。
【００１０】
別の実施形態によれば、プラント情報共有装置は、プラント内の作業に関する指示内容を第１端末から受信し、前記指示内容を第１格納部に格納する第１制御部と、前記指示内容で指示された作業の作業内容を第２端末から受信し、前記作業内容を第２格納部に格納する第２制御部と、前記作業内容で規定された作業の作業結果を第３端末から受信し、前記作業結果を第３格納部に格納する第３制御部と、前記作業結果から得られた情報を表示装置に表示する表示制御部とを備える。さらに、前記第２制御部は、前記第３格納部内の前記作業結果を前記第２端末に提供し、前記作業結果から得られた第１の情報を前記第２格納部に格納し、前記第１制御部は、前記第２格納部内の前記第１の情報を前記第１端末に提供し、前記第１の情報から得られた第２の情報を前記第１格納部に格納し、前記表示制御部は、前記第１端末からの操作に応じて、前記第１格納部内の前記第２の情報を前記表示装置に表示する。
【発明の効果】
【００１１】
本発明によれば、プラント内の複数の人間に情報を正確かつ迅速に共有させることが可能となる。
【図面の簡単な説明】
【００１２】
【図１】第１実施形態のプラント情報共有システムの構成を模式的に示す図である。
【図２】各データ格納部のアクセス権限について説明するための図である。
【図３】各操作端末の画面上の表示内容に関する第１の例を示す図である。
【図４】各操作端末の画面上の表示内容に関する第２の例を示す図である。
【図５】図４に示す画面同士の関係を模式的に示した図である。
【発明を実施するための形態】
【００１３】
以下、本発明の実施形態を、図面を参照して説明する。
【００１４】
（第１実施形態）
図１は、第１実施形態のプラント情報共有システムの構成を模式的に示す図である。
【００１５】
図１のプラント情報共有システムは、表示装置の例であるＶＤＵ（visual display unit）１と、プラント情報共有装置２と、第１端末の例である指揮者用の操作端末３と、第２端末の例である運転員Ａ用の操作端末４と、第３端末の例である運転員Ｂ用の操作端末５とを備えている。指揮者、運転員Ａ、および運転員Ｂはそれぞれ、第１、第２、および第３ユーザの例である。
【００１６】
ＶＤＵ１は、プラント内の複数の人間が情報を共有するために制御室内に配置された大型の表示装置である。ＶＤＵ１には、プラント全体の状態が表示される。指揮者や各運転員は、ＶＤＵ１に表示された情報からプラントの状態を把握することができる。
【００１７】
プラント情報共有装置２は、ＶＤＵ１に表示する情報を一元的に管理するための装置である。プラント情報共有装置２の例は、サーバとして機能可能なコンピュータである。プラント情報共有装置２は、ＶＤＵ１、指揮者用の操作端末３、運転員Ａ用の操作端末４、および運転員Ｂ用の操作端末５と有線通信または無線通信を行うことができる。
【００１８】
指揮者用の操作端末３は、指揮者が使用するための端末である。運転員Ａ用の操作端末４は、運転員Ａが使用するための端末である。運転員Ｂ用の操作端末５は、運転員Ｂが使用するための端末である。これらの操作端末３〜５の例は、タブレット端末のような可搬型の情報端末である。指揮者の例は、プラントの当直長である。運転員Ａの例は、プラント内の部門の部門長である。運転員Ｂの例は、プラント内の部門の一般部員である。
【００１９】
（１）プラント情報共有装置２の構成
プラント情報共有装置２は、制御部の例であるデータ処理部１１と、データ通信部１２と、記憶装置の例である一時記憶装置１３と、表示制御部２１と、ＶＤＵ用のデータ格納部２２と、第１格納部の例である指揮者用のデータ格納部２３と、第２格納部の例である運転員Ａ用のデータ格納部２４と、第３格納部の例である運転員Ｂ用のデータ格納部２５とを備えている。データ処理部１１は、第１、第２、および第３制御部の例でもある。
【００２０】
データ処理部１１は、種々のデータ処理を実行する。データ通信部１２は、プラント情報共有装置２と他の装置との間のデータ通信を制御する。一時記憶装置１３は、一時的に情報を記憶するためのメモリである。一時記憶装置１３の例は、揮発性または不揮発性のＲＡＭ（random access memory）である。
【００２１】
表示制御部２１は、プラントの状態をＶＤＵ１に表示するための制御を行う。ＶＤＵ用のデータ格納部２２は、ＶＤＵ１用のデータを格納するために使用される。指揮者用のデータ格納部２３は、指揮者用のデータを格納するために使用される。運転員Ａ用のデータ格納部２４は、運転員Ａ用のデータを格納するために使用される。運転員Ｂ用のデータ格納部２５は、運転員Ｂ用のデータを格納するために使用される。これらのデータ格納部２２〜２５の例は、同一または別個のＨＤＤ（hard disc drive）である。
【００２２】
なお、一時記憶装置１３とデータ格納部２２〜２５は、プラント情報共有装置２の外部に設置されていてもよい。
【００２３】
（２）操作端末３〜５の構成
指揮者用の操作端末３は、データ通信部３１、入力処理部３２、表示制御部３３、および表示装置３４を備えている。運転員Ａ用の操作端末４や運転員Ｂ用の操作端末５も、指揮者用の操作端末３と同様の構成を備えている。
【００２４】
データ通信部３１は、操作端末３と他の装置との間のデータ通信を制御する。入力処理部３２は、表示装置３４の画面のタッチ操作を受け付けるための制御を行う。表示制御部３３は、表示装置３４の画面に情報を表示するための制御を行う。表示装置３４は、種々の情報を画面上に表示する。
【００２５】
指揮者が操作端末３を起動すると、操作端末３は、データ通信部３１を介してプラント情報共有装置２にアクセスし、指揮者用のデータ格納部２３から画面表示用の情報を取得し、表示制御部３３を介して表示装置３４にこの情報を表示する。
【００２６】
（３）プラント情報共有システムの動作
次に、第１実施形態のプラント情報共有システムの動作について説明する。
【００２７】
プラントに異常が発生した場合、指揮者は、ＶＤＵ１に表示されたプラントの状態や、プラントから収集されたトレンドデータや、運転員からの一次報告から、異常が発生している箇所を推定する。
【００２８】
次に、指揮者は、異常の調査や処置などの作業を運転員Ａに指示するために、プラント内の作業に関する指示内容を操作端末３に入力する。操作端末３に指示内容が入力されると、操作端末３は、指示内容をプラント情報共有装置２に送信する。プラント情報共有装置２が指示内容を受信すると、データ処理部１１は、指示内容を指揮者用のデータ格納部２３に格納する（ステップＳ１）。
【００２９】
次に、指揮者は、指示内容を入力したことを運転員Ａに通知するために、運転員Ａへの通知を操作端末３から送信する（ステップＳ２）。運転員Ａは、この通知を操作端末４で受信することで、指示の発生を知ることができる。指揮者から運転員Ａへの通知は、指揮者から運転員Ａへの電子メールの授受により行われてもよいし、操作端末３の画面上の通知ボタンを押すと操作端末４の画面上に通知表示が生じる形で行われてもよい。
【００３０】
指揮者から運転員Ａへの通知は、プラント情報共有装置２にも送信される。プラント情報共有装置２がこの通知を受信すると、データ処理部１１は、データ格納部２３内の指示内容を一時記憶装置１３に格納する（ステップＳ３）。
【００３１】
次に、運転員Ａは、指揮者からの通知を知ると、操作端末４の操作によりデータ処理部１１を介して一時記憶装置１３にアクセスし、一時記憶装置１３内の指示内容を入手し、指示内容を運転員Ａ用のデータ格納部２４に格納する（ステップＳ４）。
【００３２】
次に、運転員Ａは、入手した指示内容を操作端末４の画面上に表示し、指示内容で指示された作業の作業内容を決定する。本実施形態の指示内容は、例えば「プラント内の領域Ｘを調査せよ」のように作業を抽象的に指示する。一方、本実施形態の作業内容は、例えば「領域Ｘ内のバルブの状態を調査せよ」のように作業を具体的に規定する。
【００３３】
次に、運転員Ａは、指揮者から指示された作業を運転員Ｂに実施させるために、指示内容で指示された作業の作業内容を操作端末４に入力する。操作端末４に作業内容が入力されると、操作端末４は、作業内容をプラント情報共有装置２に送信する。プラント情報共有装置２が作業内容を受信すると、データ処理部１１は、作業内容を運転員Ａ用のデータ格納部２４に格納する（ステップＳ５）。
【００３４】
次に、運転員Ａは、作業内容を入力したことを運転員Ｂに通知するために、運転員Ｂへの通知を操作端末４から送信する（ステップＳ６）。運転員Ｂは、この通知を操作端末５で受信することで、作業の発生を知ることができる。運転員Ａから運転員Ｂへの通知は、運転員Ａから運転員Ｂへの電子メールの授受により行われてもよいし、操作端末４の画面上の通知ボタンを押すと操作端末５の画面上に通知表示が生じる形で行われてもよい。
【００３５】
運転員Ａから運転員Ｂへの通知は、プラント情報共有装置２にも送信される。プラント情報共有装置２がこの通知を受信すると、データ処理部１１は、データ格納部２４内の作業内容を一時記憶装置１３に格納する（ステップＳ７）。
【００３６】
次に、運転員Ｂは、運転員Ａからの通知を知ると、操作端末５の操作によりデータ処理部１１を介して一時記憶装置１３にアクセスし、一時記憶装置１３内の作業内容を入手し、作業内容を運転員Ｂ用のデータ格納部２５に格納する（ステップＳ８）。
【００３７】
次に、運転員Ｂは、入手した作業内容を操作端末５の画面上に表示し、作業内容で規定された作業を実施する。その結果、運転員Ｂは例えば「領域Ｘのバルブは故障中」「領域Ｘのバルブを閉鎖した」などの作業結果（調査結果や処置結果）を得る。
【００３８】
次に、運転員Ｂは、作業内容で規定された作業の作業結果を操作端末５に入力する。操作端末５に作業結果が入力されると、操作端末５は、作業結果をプラント情報共有装置２に送信する。プラント情報共有装置２が作業内容を受信すると、データ処理部１１は、作業内容を運転員Ｂ用のデータ格納部２５に格納する（ステップＳ９）。
【００３９】
次に、運転員Ｂは、作業が完了して作業結果を入力したことを運転員Ａに通知するために、運転員Ａへの通知を操作端末５から送信する（ステップＳ１０）。運転員Ｂは、この通知を操作端末４で受信することで、作業の完了を知ることができる。運転員Ｂから運転員Ａへの通知は、ステップＳ２、Ｓ６と同様にして実行可能である。
【００４０】
次に、運転員Ａは、運転員Ｂからの通知を知ると、操作端末４の操作によりデータ処理部１１を介して運転員Ｂ用のデータ格納部２５にアクセスし、データ格納部２５内の作業結果を操作端末４の画面上に表示し、作業結果を確認する。この際、運転員Ａは、作業結果の中から必要な情報を抽出し、この情報を第１確定情報としてデータ処理部１１を介して運転員Ａ用のデータ格納部２４に格納する（ステップＳ１１）。第１確定情報は、第１の情報の例である。
【００４１】
次に、運転員Ａは、作業が完了して第１確定情報を入力したことを指揮者に通知するために、指揮者への通知を操作端末４から送信する（ステップＳ１２）。運転員Ａは、この通知を操作端末３で受信することで、作業の完了を知ることができる。運転員Ａから指揮者への通知は、ステップＳ２、Ｓ６と同様にして実行可能である。
【００４２】
次に、指揮者は、運転員Ａからの通知を知ると、操作端末３の操作によりデータ処理部１１を介して運転員Ａ用のデータ格納部２４にアクセスし、データ格納部２４内の第１確定情報を操作端末３の画面上に表示し、第１確定情報に含まれる作業結果を確認する。この際、運転員Ａは、第１確定情報の中から必要な情報を抽出し、この情報を第２確定情報としてデータ処理部１１を介して指揮者用のデータ格納部２３に格納する（ステップＳ１３）。第２確定情報は、第２の情報の例である。
【００４３】
次に、指揮者は、操作端末３の操作により、データ格納部２３内の第２確定情報をＶＤＵ１に表示する表示要求をプラント情報共有装置２に送信する。プラント情報共有装置２が表示要求を受信すると、表示制御部２１は、表示要求に応じて第２確定情報をＶＤＵ１に表示する（ステップＳ１４）。こうして、ＶＤＵ１に作業結果が表示され、プラント内の複数の人間が作業結果の情報を共有することができる。
【００４４】
なお、ステップＳ１１では、作業結果の一部が第１確定情報としてデータ格納部２４に格納されているが、作業結果の全部が第１確定情報としてデータ格納部２４に格納されてもよい。後者の第１確定情報も、第１の情報の例である。前者の第１確定情報の例としては、作業結果が正常箇所の情報と異常箇所の情報とを含む場合に、異常箇所の情報だけを抽出した抽出情報が挙げられる。
【００４５】
また、ステップＳ１３では、第１確定情報の一部が第２確定情報としてデータ格納部２３に格納されているが、第１確定情報の全部が第２確定情報としてデータ格納部２３に格納されてもよい。後者の第２確定情報も、第２の情報の例である。前者の第２確定情報の例としては、第１確定情報が全員の共有が必要な情報と全員の共有は不要な情報とを含む場合に、全員の共有が必要な情報だけを抽出した抽出情報が挙げられる。
【００４６】
（４）プラント情報共有システムの詳細
次に、図２〜図５を参照し、第１実施形態のプラント情報共有システムの詳細について説明する。
【００４７】
図２は、各データ格納部のアクセス権限について説明するための図である。
【００４８】
図２は、前述の指揮者用のデータ格納部２３、運転員Ａ用のデータ格納部２４、運転員Ｂ用のデータ格納部２５に加え、プラント情報共有装置２に含まれる運転員Ｃ、Ｄ、Ｅ、Ｆ用のデータ格納部２６、２７、２８、２９を示している。運転員Ａ、Ｃ、Ｅは、プラント内の職域において指揮者の下位に位置している。また、運転員Ｂ、Ｄ、Ｆはそれぞれ、プラント内の職域において運転員Ａ、Ｃ、Ｅの下位に位置している。
【００４９】
図２の矢印は、運転員がデータ格納部にアクセスするアクセス権限を示している。より詳細には、破線矢印と実線矢印はそれぞれ、運転員がデータ格納部内の情報を閲覧、編集する閲覧権限、編集権限を示している。あるデータ格納部の閲覧権限を有する運転員は、そのデータ格納部内の情報を読み出すことができる。また、あるデータ格納部の編集権限を有する運転員は、そのデータ格納部に情報を書き込むことができる。一方、ある運転員があるデータ格納部に破線矢印、実線矢印で結ばれていない場合には、その運転員がそのデータ格納部の閲覧権限、編集権限を有していないことを示している。
【００５０】
以下、図１の処理と図２のアクセス権限との関係について説明する。
【００５１】
データ処理部１１は、ステップＳ１、Ｓ５、Ｓ９、Ｓ１１、Ｓ１３などで説明したように、操作端末３〜５からデータ格納部２３〜２５へのアクセスを制御する。この際、データ処理部１１は、データ格納部２３〜２５内の情報の閲覧および編集を、指揮者や運転員に付与された閲覧権限および編集権限により制限する。
【００５２】
例えば、指揮者は、指揮者用のデータ格納部２３の閲覧権限および編集権限と、運転員Ａ用のデータ格納部２４の閲覧権限とを有している。よって、指揮者は、ステップＳ１で指示内容をデータ格納部２３に格納することや、ステップＳ１３でデータ格納部２４内の第１確定情報を閲覧することができる。
【００５３】
また、運転員Ａは、運転員Ａ用のデータ格納部２４の閲覧権限および編集権限と、運転員Ｂ用のデータ格納部２５の閲覧権限とを有している。よって、運転員Ａは、ステップＳ５で作業内容をデータ格納部２４に格納することや、ステップＳ１１でデータ格納部２３内の作業結果を閲覧することができる。
【００５４】
しかしながら、運転員Ａは、指揮者用のデータ格納部２３の閲覧権限および編集権限を有しておらず、データ格納部２３にアクセスすることはできない。そのため、ステップＳ３、Ｓ４は、一時記憶装置１３を利用して行われる。
【００５５】
また、運転員Ｂは、運転員Ｂ用のデータ格納部２５の閲覧権限および編集権限を有している。よって、運転員Ｂは、ステップＳ９で作業内容をデータ格納部２５に格納することができる。
【００５６】
しかしながら、運転員Ｂは、運転員Ａ用のデータ格納部２４の閲覧権限および編集権限を有しておらず、データ格納部２４にアクセスすることはできない。そのため、ステップＳ７、Ｓ８は、一時記憶装置１３を利用して行われる。
【００５７】
このように、本実施形態のデータ格納部のアクセス権限は、運転員の階層に基づいて付与されている。具体的には、指揮者用のデータ格納部２３の閲覧権限および編集権限は、指揮者のみに付与されている。また、運転員Ａ用のデータ格納部２４の閲覧権限は、運転員Ａとその直属上位者である指揮者に付与され、データ格納部２４の編集権限は、運転員Ａのみに付与されている。また、運転員Ｂ用のデータ格納部２５の閲覧権限は、運転員Ｂとその直属上位者である運転員Ａに付与され、データ格納部２５の編集権限は、運転員Ｂのみに付与されている。これにより、本実施形態のプラント情報共有システムは、ステップＳ１〜Ｓ１４の処理を実行することができる。
【００５８】
また、図２のデータ格納部２３、２４、２５のアクセス権限は、ステップＳ１〜Ｓ１４を実行するのに必要なアクセス権限のみが付与されており、ステップＳ１〜Ｓ１４を実行するのに不要なアクセス権限は付与されていない。本実施形態によれば、不要なアクセス権限の付与を制限することで、高度の信頼性や安全性が要求されるプラント内の情報へのアクセスを厳格に制限することが可能となる。
【００５９】
なお、データ格納部２３、２４、２５のアクセス権限の情報は、データ格納部２３、２４、２５内に格納されていてもよいし、プラント情報共有装置２の内部または外部の別のデータ格納部内に格納されていてもよい。
【００６０】
図２において、指揮者はさらに、運転員Ｃ、Ｅ用のデータ格納部２６、２８の閲覧権限を有している。よって、指揮者は、運転員Ａ、Ｃ、Ｅからの第１確認情報を集約して第２確認情報を生成し、データ格納部２３に格納することができる。
【００６１】
また、指揮者は、運転員Ａ、Ｃ、Ｅのデータ格納部２４、２６、２８の閲覧権限をいずれも有しているが、運転員Ａ、Ｃ、Ｅは、互いのデータ格納部２４、２６、２８の閲覧権限を有していない。これにより、本実施形態のプラント情報共有システムは、ある部門の情報が他の部門の情報と混在してしまう事態を抑制することができる。
【００６２】
なお、運転員Ａ、Ｃ、Ｅの各々は、直属の下位者を１人有しているが、直属の下位者を複数人有していてもよい。この場合、運転員Ａには、直属のすべての下位者用のデータ格納部の閲覧権限が付与され、運転員Ａは、これらの下位者からの作業結果を集約して第１確認情報を生成し、データ格納部２４に格納することができる。これは、運転員Ｃ、Ｅも同様である。
【００６３】
図３は、各操作端末の画面上の表示内容に関する第１の例を示す図である。
【００６４】
図３は、指揮者用の操作端末３の画面６１と、運転員Ａ用の操作端末４の画面６２と、運転員Ｂ用の操作端末５の画面６３とを示している。以下、図１の処理と図３の画面との関係について説明する。
【００６５】
ステップＳ１において、指揮者は、指揮者用の操作端末３の画面６１に指示内容Ａ１を入力する。指示内容Ａ１は、ステップＳ５の際に、運転員Ａ用の操作端末４の画面６２に指示内容Ａ２として表示される。
【００６６】
ステップＳ５において、運転員Ａは、指示内容Ａ２をもとに、運転員Ａ用の操作端末４の画面６２に作業内容Ｂ１を入力する。作業内容Ｂ１は、ステップＳ９の際に、運転員Ｂ用の操作端末５の画面６３に作業内容Ｂ２として表示される。
【００６７】
ステップＳ９において、運転員Ｂは、指示内容Ｂ２をもとに作業を実施し、運転員Ｂ用の操作端末５の画面６３に作業結果Ｃ１を入力する。作業結果Ｃ１は、ステップＳ１１の際に、運転員Ａ用の操作端末４の画面６２に作業結果Ｃ２として表示される。
【００６８】
ステップＳ１１において、運転員Ａは、運転員Ａ用の操作端末４の画面６２上で、作業結果Ｃ２から第１確定情報とする作業結果を抽出する。図３の画面６２は、４つの作業結果の中から３つの作業結果を抽出する様子を示している。抽出された作業結果は、ステップＳ１３の際に、指揮者用の操作端末３の画面６２に作業結果Ｃ３として表示される。
【００６９】
ステップＳ１３において、指揮者は、指揮者用の操作端末３の画面６１上で、作業結果Ｃ３（第１確定情報）から第２確定情報とする作業結果を抽出する。抽出された作業結果は、ステップＳ１４の際に、ＶＤＵ１の画面に表示される。
【００７０】
本実施形態のデータ処理部１１は、運転員Ｂ用のデータ格納部２５に作業結果が格納されたことを、個々の作業結果がデータ格納部２５に格納されるごとに、運転員Ａ用の操作端末４にリアルタイムに通知する。よって、運転員Ａ用の操作端末４は、画面６２上に作業進捗Ｄ１を表示することができる。図３の作業進捗Ｄ１は、運転員Ｂに課された４つの作業のうち、３つの作業がすでに完了したことを示している。これは、４つの作業結果のうちの３つの作業結果がデータ格納部２５に格納されたことを示している。本実施形態によれば、このような作業進捗Ｄ１により、運転員Ａが運転員Ｂの作業状況をリアルタイムに把握することが可能となる。
【００７１】
また、本実施形態のデータ処理部１１は、運転員Ａ用のデータ格納部２４に第１確定情報が格納されたことを、第１確定情報を構成する個々の作業結果がデータ格納部２４に格納されるごとに、指揮者用の操作端末３にリアルタイムに通知してもよい。これにより、指揮者が運転員Ａの部門の作業状況をリアルタイムに把握することが可能となる。
【００７２】
また、本実施形態のデータ処理部１１は、指示内容、作業内容、作業結果をそれぞれデータ格納部２３〜２５に格納する際に、指示内容、作業内容、作業結果がそれぞれ操作端末３〜５に入力された入力時間をこれらに付加する。よって、本実施形態によれば、指示から作業までの経過時間や、作業に要した期間や、指示や作業が行われた時刻を、入力時間から確認することが可能となる。さらに、本実施形態によれば、図３の作業結果Ｃ３のように、複数の作業結果を時間順に並べて表示することも可能となる。
【００７３】
また、本実施形態のデータ処理部１１は、操作端末３がステップＳ２の通知を送信した通知時間を、データ格納部２３内の指示内容に付加してもよい。また、本実施形態のデータ処理部１１は、操作端末４がステップＳ６の通知を送信した通知時間を、データ格納部２４内の作業内容に付加してもよい。また、本実施形態のデータ処理部１１は、操作端末５がステップＳ１０の通知を送信した通知時間を、データ格納部２５内の作業結果に付加してもよい。また、本実施形態のデータ処理部１１は、操作端末４がステップＳ１２の通知を送信した通知時間を、データ格納部２４内の第１確定情報に付加してもよい。これにより、上述の入力時間と同様のメリットを通知時間から得ることが可能となる。
【００７４】
図４は、各操作端末の画面上の表示内容に関する第２の例を示す図である。図３の各画面は、情報をテキストで表示しているのに対し、図４の各画面は、情報をグラフィクスで表示している。
【００７５】
図４は、指揮者用の操作端末３の画面６１と、運転員Ａ用の操作端末４の画面６２と、運転員Ｂ用の操作端末５の画面６３とを示している。図４はさらに、ＶＤＵ１の画面６０を示している。以下、図１の処理と図４の画面との関係について説明する。
【００７６】
符号Ｐ１〜Ｐ７は、画面６０〜６３が遷移する段階を示している。符号Ｐ１は、図１のステップＳ１〜Ｓ１４を実行する前の段階のＶＤＵ１の画面６０の表示内容を示す。画面６０は、プラント内のパイプやバルブを示している。
【００７７】
ステップＳ１において、指揮者は、指揮者用の操作端末３の画面６１に、ＶＤＵ１の画面６０と同じ表示内容を表示する（Ｐ２）。次に、指揮者は、運転員Ａに作業を指示する作業領域Ｒ１を画面６１上で囲む。作業領域Ｒ１を入力する操作が、指示内容の入力に相当する。
【００７８】
ステップＳ５において、運転員Ａ用の操作端末４の画面６２には、画面６１の表示内容のうち作業領域Ｒ１のみが表示される（Ｐ３）。次に、運転員Ａは、運転員Ｂに作業を実施させる作業箇所Ｗ１〜Ｗ４を画面６２上で囲む。作業箇所Ｗ１〜Ｗ４を入力する操作が、作業内容の入力に相当する。なお、操作端末４の画面６２は、作業箇所Ｗ１〜Ｗ４を調査するか処置するかの情報を入力できるようにしてもよい。
【００７９】
ステップＳ９において、運転員Ｂ用の操作端末５の画面６３には、作業領域Ｒ１と作業箇所Ｗ１〜Ｗ４とが表示される（Ｐ４）。次に、運転員Ｂは、作業箇所Ｗ１〜Ｗ４での作業を実施し、作業箇所Ｗ１〜Ｗ４での作業結果Ｔ１〜Ｔ７を画面６３上で入力する。なお、操作端末５の画面６３は、作業結果Ｔ１〜Ｔ７のアイコンをタッチすると作業結果Ｔ１〜Ｔ７の詳細（グラフや現場写真）が表示されるようにしてもよい。
【００８０】
ステップＳ１１において、運転員Ａ用の操作端末４の画面６２には、作業領域Ｒ１と作業箇所Ｗ１〜Ｗ４と作業結果Ｔ１〜Ｔ７とが表示される（Ｐ５）。次に、運転員Ａは、作業結果Ｔ１〜Ｔ７から第１確定情報とする作業結果を画面６２上で抽出する。段階Ｐ５の画面６２は、第１確定情報として、作業箇所Ｗ１〜Ｗ４の作業結果Ｔ１〜Ｔ７の中から作業箇所Ｗ１〜Ｗ３の作業結果Ｔ１〜Ｔ５が選択された様子を示している。
【００８１】
ステップＳ１３において、指揮者用の操作端末３の画面６１には、上述の表示内容と共に、作業領域Ｒ１と作業箇所Ｗ１〜Ｗ３と作業結果Ｔ１〜Ｔ５とが表示される（Ｐ６）。次に、指揮者は、作業結果Ｔ１〜Ｔ５から第２確定情報とする作業結果を画面６１上で抽出する。段階Ｐ６の画面６１は、第２確定情報として、作業箇所Ｗ１〜Ｗ３の作業結果Ｔ１〜Ｔ５がすべて選択された様子を示している。
【００８２】
本実施形態の操作端末３は、画面６１上に作業結果Ｔ１〜Ｔ５を２種類の方法で表示することができる。
【００８３】
第１の方法では、複数の作業結果Ｔ１〜Ｔ５が、１つの作業結果群として集約して表示される。段階Ｐ６の画面６１は、複数の作業結果Ｔ１〜Ｔ５が、１つの作業結果群を示すシンボルＺ１で表示されている様子を示している。シンボルＺ１は例えば、作業領域Ｒ１を示すアイコンでもよいし、作業結果Ｔ１〜Ｔ５の名称や概要を示すテキストでもよい。
【００８４】
第２の方法では、複数の作業結果Ｔ１〜Ｔ５が、複数の作業結果Ｔ１〜Ｔ５に展開されて表示される。この場合、これらの作業結果Ｔ１〜Ｔ５は、段階Ｐ５の画面６２上と同様に表示される。
【００８５】
操作端末３は、画面６１上の操作に応じて、第１および第２の方法の表示を互いに切り替えることができる。例えば、画面６１上にシンボルＺ１が表示されている場合に、シンボルＺ１へのタッチ操作に応じて作業結果Ｔ１〜Ｔ５が展開されるようにしてもよい。また、画面６１上に作業結果Ｔ１〜Ｔ５が展開されている場合に、作業領域Ｒ１内のボタンへのタッチ操作に応じてシンボルＺ１が表示されるようにしてもよい。
【００８６】
ステップＳ１４において、指揮者は、操作端末３の操作により、作業結果Ｔ１〜Ｔ５をＶＤＵ１の画面６０に表示させる（Ｐ７）。この際、指揮者は、操作端末３の操作により、作業結果Ｔ１〜Ｔ５を集約表示するか展開表示するかを選択可能である。段階Ｐ７の画面６０は、作業結果Ｔ１〜Ｔ５を含む作業結果群がシンボルＺ１で表示された様子を示している。段階Ｐ７の画面６０はさらに、その他の作業結果群がシンブルＺ２、Ｚ３で表示された様子を示している。指揮者は、この選択操作により、作業結果Ｔ１〜Ｔ５の詳細を全員で共有するか否かを選択することができる。
【００８７】
なお、本実施形態のプラント情報共有システムは、操作端末３〜５の画面６１〜６３上にそれぞれ、図３の画面６１〜６３と図４の画面６１〜６３の表示内容の一方のみを表示してもよいし、図３の画面６１〜６３と図４の画面６１〜６３の表示内容の両方を同時に表示してもよい。後者の場合には、図３の指示内容Ａ１と図４の作業領域Ｒ１とを関連付けてデータ格納部２３に格納してもよいし、図３の作業内容Ｂ１と図４の作業箇所Ｗ１〜Ｗ４とを関連付けてデータ格納部２４に格納してもよい。
【００８８】
図５は、図４に示す画面同士の関係を模式的に示した図である。
【００８９】
図５は、段階Ｐ１におけるＶＤＵ１の画面６０と、段階Ｐ２における指揮者用の操作端末３の画面６１と、段階Ｐ３における運転員Ａ用の操作端末４の画面６２と、段階Ｐ４における運転員Ｂ用の操作端末５の画面６３とを示している。
【００９０】
画面６１には、指揮者が運転員Ａに作業を指示する作業領域Ｒ１が表示されている。この場合、画面６２上には、画面６１の表示内容のうち作業領域Ｒ１内の表示内容のみが表示され、運転員Ａは、作業領域Ｒ１内の情報の編集権限が与えられる。よって、運転員Ａは、作業領域Ｒ１内に作業箇所Ｗ１〜Ｗ４を書き込むことができる。
【００９１】
画面６２には、運転員Ａが運転員Ｂに作業を実施させる作業箇所Ｗ１〜Ｗ４が表示されている。この場合、画面６３上には、作業箇所Ｗ１〜Ｗ４が表示され、運転員Ｂは、作業箇所Ｗ１〜Ｗ４に添付する情報の編集権限が与えられる。よって、運転員Ｂは、作業箇所Ｗ１〜Ｗ４に添付する作業結果Ｔ１〜Ｔ７を書き込むことができる。
【００９２】
また、運転員Ａは、作業領域Ｒ１内の情報の閲覧権限を有する。よって、運転員Ａは、作業箇所Ｗ１〜Ｗ４に添付された作業結果Ｔ１〜Ｔ７を閲覧することができる。
【００９３】
また、指揮者は、作業領域Ｒ１内の情報やその他の作業領域内の情報の閲覧権限を有する。よって、指揮者は、作業領域Ｒ１内の作業結果や、その他の作業領域内の作業結果を閲覧することができる。
【００９４】
以上のように、本実施形態のプラント情報共有システムは、指揮者が操作端末３に入力した指示内容を指揮者用のデータ格納部２３に格納し、運転員Ａが操作端末４に入力した作業内容を運転員Ａ用のデータ格納部２４に格納し、運転員Ｂが操作端末５に入力した作業結果を運転員Ｂ用のデータ格納部２５に格納するプラント情報共有装置２を備える。
【００９５】
よって、本実施形態によれば、指示内容、作業内容、および作業結果の情報をプラント情報共有装置２により一元的に管理することが可能となる。
【００９６】
また、本実施形態のプラント情報共有システムは、運転員Ａ用の操作端末４が作業結果から得られた第１確定情報をデータ格納部２４に格納し、指揮者用の操作端末３が第１確定情報から得られた第２確定情報をデータ格納部２３に格納し、プラント情報共有装置２が操作端末３からの操作により第２確定情報をＶＤＵ１に表示するよう構成されている。
【００９７】
よって、本実施形態によれば、プラント内の情報を指揮者に集約させることや、プラント内の複数の人間がＶＤＵ１によりこの情報を共有することが可能となる。
【００９８】
また、本実施形態においては、プラント情報共有システムの動作により、上位者から下位者に指示内容や作業内容が提供されていき、下位者から上位者に作業結果（確定情報を含む）が提供されていく。よって、本実施形態によれば、指示内容、作業内容、および作業結果を口頭や書面で伝達する場合や、指示内容、作業内容、および作業結果を操作端末で不規則に伝達する場合に比べ、伝達の遅れや誤りを抑制することができる。よって、本実施形態によれば、プラント内の情報を正確かつ迅速に指揮者に集約させることが可能となり、プラント内の複数の人間に情報を正確かつ迅速に共有させることが可能となる。
【００９９】
なお、本実施形態のプラント情報共有システムにおいては、指示内容、作業内容、および作業結果が、３階層の人間（指揮者、運転員Ａ、運転員Ｂ）の操作端末やデータ格納部の間で授受されているが、４階層以上の人間の操作端末やデータ格納部の間で授受されてもよい。この場合、各階層の人間には、自分用のデータ格納部の閲覧権限および編集権限と、その直属の下位者用のデータ格納部の閲覧権限のみが付与されることが望ましい。
【０１００】
以上、いくつかの実施形態を説明したが、これらの実施形態は、例としてのみ提示したものであり、発明の範囲を限定することを意図したものではない。本明細書で説明した新規なシステム、方法、および装置は、その他の様々な形態で実施することができる。また、本明細書で説明したシステム、方法、および装置の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１０１】
１：ＶＤＵ、２：プラント情報共有装置、３：指揮者用の操作端末、
４：運転員Ａ用の操作端末、５：運転員Ｂ用の操作端末、
１１：データ処理部、１２：データ通信部、１３：一時記憶装置、
２１：表示制御部、２２：ＶＤＵ用のデータ格納部、２３：指揮者用のデータ格納部、
２４：運転員Ａ用のデータ格納部、２５：運転員Ｂ用のデータ格納部、
２６：運転員Ｃ用のデータ格納部、２７：運転員Ｄ用のデータ格納部、
２８：運転員Ｅ用のデータ格納部、２９：運転員Ｆ用のデータ格納部、
３１、４１、５１：データ通信部、３２、４２、５２：入力処理部、
３３、４３、５３：表示制御部、３４、４４、５４：表示装置、
６０：ＶＤＵの画面、６１：指揮者用の操作端末の画面、
６２：運転員Ａ用の操作端末の画面、６３：運転員Ｂ用の操作端末の画面
【図１】
2016024597.tif 000003
【図２】
2016024597.tif 000004
【図３】
2016024597.tif 000005
【図４】
2016024597.tif 000006
【図５】
2016024597.tif 000007